(57)【要約】【課題】映像表示装置等の構築物の上に設置して鳥害防止を図る。【解決手段】鳥害防止装置１は、一対の支持部材１１１，１１２間に、回動自在にアーム部材１２１，１２２を設け、これらアーム部材１２１，１２２間に棒状部材１３１，１３２差し渡したことを特徴とする。棒状部材１３１，１３２は、回転軸Ｋを中心に回転方向にかろうじて平衡した状態にあるので、鳥類が飛来して止まると、直ちに回動あるいは回転して、鳥類が止まるのを防ぐ。従って、この鳥害防止装置を映像表示装置２上に搭載したとき、美観を損なうことなく、鳥類による表示面２２の汚染を防止することができる。【選択図】　　　図１
2004057075.tif 000002
【特許請求の範囲】
【請求項１】
間隔を隔てて設けられ、水平方向に共通する回転支軸または回転軸受けを有する一対の支持部材と、
この一対の支持部材それぞれに、前記回転支軸または回転軸受けに支持されて回動自在に設けられたアーム部材と、
この各アーム部材の対応する先端部位置間に差し渡され、回転軸を通る鉛直下方位置以外の回転角度位置で平衡するように設けられた棒状部材と
を具備することを特徴とする鳥害防止装置。
【請求項２】
前記アーム部材は、長方形状をなし
前記棒状部材は、前記各アーム部材の回転軸を間に挟み、各対応する両端部間に差し渡されて設けられたことを特徴とする請求項１記載の鳥害防止装置。
【請求項３】
前記アーム部材の両端部に取り付けられた各棒状部材は、前記回転軸から前記各棒状部材の取り付け位置方向を見た開き角度が１８０度から偏移した角度となるように構成されたことを特徴とする請求項２に記載の鳥害防止装置。
【請求項４】
前記棒状部材は、複数枚の板部材を突設させたことを特徴とする請求項１ないし３のうちのいずれか１項に記載の鳥害防止装置。
【請求項５】
前記棒状部材は、複数枚のテープ部材を垂下させたことを特徴とする請求項１ないし４のうちのいずれか１項に記載の鳥害防止装置。
【請求項６】
表示面に沿う天板上に、請求項１ないし５のうちのいずれか１項に記載の鳥害防止装置を載置したことを特徴とする映像表示装置。
【発明の詳細な説明】
【０００１】
【発明の属する技術分野】
本発明は、屋外構築物に採用して好適な鳥害防止装置、及びその鳥害防止装置を使用した映像表示装置の改良に関する。
【０００２】
【従来の技術】
カラスやかもめ、鳩あるいはスズメ等の鳥類が、屋外構築物に止まって、糞害をもたらすことが多く、これを防ぐための鳥害防止装置が種々提案されている。
【０００３】
従来の鳥害防止装置は、飛来した鳥類が構築物上に止まることができないように、針状部材を多数上方向に突設させて構築物上に配置した構成、あるいは鳥が足でつかめない程度の細い針金を構築物上に張り巡らす構成等が考えられている。
【０００４】
【発明が解決しようとする課題】
針状部材を採用した鳥害防止装置は、鋭利な針状部材を多数林立させた構造からなるので、見る人に緊張感を与えてしまい、安心感や心地良い印象を与えにくいので、どちらかといえばそれほど人目につかない場所、例えばビルの屋上や郊外の建造物上に設けられることが多い。
【０００５】
従って、このような鳥害防止装置は、多くの観衆が見守る映像表示装置に採用するのは必ずしも適切ではなく改善が要望されていた。
【０００６】
また、細い針金等を張り巡らした鳥害防止装置は、小さな鳥を防ぐために、針金等を極力細くする必要がある。細い針金は伸びて垂れ下がったり、あるいは風雨に晒されて劣化して切れやすいので、保守管理に手間がかかるという欠点があった。
【０００７】
そこで、本発明は、美観上も問題なく、また耐久性に優れ、的確な防鳥効果が得られる鳥害防止装置、及びこれを採用した映像表示装置を提供することを目的とする。
【０００８】
【課題を解決するための手段】
本発明の鳥害防止装置は、間隔を隔てて設けられ、水平方向に共通する回転支軸または回転軸受けを有する一対の支持部材と、この一対の支持部材それぞれに、前記回転支軸または回転軸受けに支持されて回動自在に設けられたアーム部材と、この各アーム部材の対応する先端部位置間に差し渡され、回転軸を通る鉛直下方位置以外の回転角度位置で平衡するように設けられた棒状部材とを具備することを特徴とする。
【０００９】
このように、本発明の鳥害防止装置は、回動自在に構成されたアーム部材間に棒状部材が差し渡され、その棒状部材は回転軸を通る鉛直下方位置以外の回転角度で不安定ながら平衡するように設けられているので、もしも飛来した鳥類が、その棒状部材に止まると、その重みにより直ちに平衡が崩れて回動する。
【００１０】
その棒状部材の回動に鳥類は驚き、棒状部材上に留まることができずに飛び去り、その後、棒状部材は回動あるいは揺動しつつ元の不安定な平衡状態に復帰する。
【００１１】
また、本発明の映像表示装置は、表示面に沿う天板上に、上記鳥害防止装置を載置したことを特徴とする。
【００１２】
このように本発明の映像表示装置は、上記本発明の鳥害防止装置を天板上の表示面に沿うよう搭載したので、美観を損なうことなく、表示面における糞害を効果的に防止することができる。
【００１３】
【発明の実施の形態】
以下、本発明による鳥害防止装置、及びそれを使用した映像表示装置の一実施の形態を図１ないし図３を参照して詳細に説明する。
【００１４】
図１は本発明の一実施の形態による鳥害防止装置１を映像表示装置２の天板２１上への取り付け状態を示す外観図である。
【００１５】
映像表示装置２自体は、表示パネルにＬＥＤ（発光ダイオード）等の表示素子をマトリクス状に多数配置して構成された大型画面（スクリーン）を構成し、例えば屋外の競技場や各種イベント会場、あるいは繁華街等に面した建物の外壁面（ビルボード）等に据え付けられる。
【００１６】
このような大型画面の映像表示装置２は、ビル等の建造物に据え付けられて、その場で長期にわたり固定的に使用されることもあれば、あるいは可搬式に大型車両の荷台等に搭載されて移動使用されることもある。
【００１７】
この実施の形態の鳥害防止装置１は、飛来した鳥類が屋外に設置された映像表示装置２の天板２１上に止まり、天板２１上はもとより、前面の映像表示面（表示面）２２を糞で汚すのを防止する。
【００１８】
図２は、図１に示した鳥害防止装置１の要部拡大分解図で、図３（ａ）は図２に示した要部の、組み立て後の正面図、図３（ｂ）は、図３（ａ）のＡ−Ａ矢視側面図である。
【００１９】
すなわち、図１及び図２に示すように、この実施の形態の鳥害防止装置１では、水平方向に向けて共通した回転軸Ｋに対応するように、回転支軸機構１１Ａを設けたＬ字状の一対の支持部材１１１，１１２が、間隔を隔てて配置され、天板２１にねじ１１Ｂにより固定されている。
【００２０】
この一対の支持部材１１１，１１２には、以下説明のようにして、それぞれアーム部材１２１，１２２が取り付けられる。
【００２１】
すなわち、アーム部材１２１，１２２はくの字状の長方形状からなり、図示のように中央部には円形状の貫通孔１２ａが設けられ、その貫通孔１２ａに回転支軸機構１１Ａが嵌め込まれて構成される。
【００２２】
回転支軸機構１１Ａは、図２の要部拡大分解図、及び図３（ａ）の要部拡大正面図にそれぞれ示したように、六角ボルト１１Ａａが、第１のスプリングワッシャ（ｓｐｒｉｎｇ　ｗａｓｈｅｒ）１１Ａｂ、支持部材１１１の貫通孔１１Ａｃ、円筒状のカラー（ｃｏｌｌａｒ）１１Ａｄ、押さえ円板１１Ａｅ、第２のスプリングワッシャ１１Ａｆを順次貫通して、最後にナット１１Ａｇが嵌め込まれて締め付けられるので、円筒状のカラー１１Ａｄはその中心軸が回転軸Ｋと一致した状態で支持部材１１１に固定される。円筒状のカラー１１Ａｄの外側直径は、アーム部材１２１の貫通孔１２ａの内径よりも径小に形成されており、アーム部材１２１は、カラー１１Ａｄに軸支されつつ回動及び回転自在である。
【００２３】
なお、図２及び図３（ａ）は、支持部材１１１側のみの回転支持機構１１Ａを拡大して示したものであるが、他方の支持部材１１２側の回転支持機構１１Ａも同様に構成されていて、単に、対称的に設けられたものであるので、説明は省略する。
【００２４】
そこで、一対の支持部材１１１，１１２に回動あるいは回転自在に設けられた各アーム部材１２１，１２２間には、各アーム部材１２１，１２２の対応する両先端部位置間に棒状部材１３１，１３２が差し渡し連結されている。
【００２５】
アーム部材１２１，１２２の両先端部において、図３（ｂ）に示したように、回転軸Ｋから取り付け位置までの距離Ｌ１，Ｌ２の長さが異なる（Ｌ１≠Ｌ２）ように、棒状部材１３１，１３２が取り付けられている。また、アーム部材１２１，１２２は、全体がくの字状に形成されているので、回転軸Ｋから各棒状部材１３１，１３２の取り付け位置方向間の開き角度θは、１８０度から偏移した角度となる。そこで、何ら外力が加わらない状態において、少なくともいずれか一方の棒状部材（図では棒状部材１３１）は、回転軸Ｋを通る鉛直下方位置よりも上方にあって、各棒状部材１３１，１３２は不安定ながらも回転軸Ｋの回りにかろうじて平衡し、風圧等を受けて容易に回動するように構成されている。
【００２６】
さらに、この実施の形態では、棒状部材１３１には、回転軸Ｋと結ぶ線上の内側方向に向けて、間隔をなして複数枚の板部材１４１，１４２，・・・が突設されているので、風を受けたとき回転しやすく、またこれら板部材１４１，１４２，・・・の各間には交互に配列されるように複数枚のテープ部材１５１，１５２，・・・が垂下されているので、回転によりこれらテープ部材１５１，１５２，・・・がはためくように構成されている。
【００２７】
上記説明の構成により、この実施の形態の鳥害防止装置は、次のように機能する。
【００２８】
まず、棒状部材１３１，１３２は、アーム部材１２１，１２２を介して、回転軸Ｋ回りに回動自在に差し渡されているので、上方位置にある棒状部材１３１にもしも鳥類が止まると、その鳥類の重み（自重）により図３（ｂ）に示すように、棒状部材１３１は、回転軸Ｋを中心として矢印Ｒ方向に容易に回動する。
【００２９】
とりわけ、この実施の形態では、アーム部材１２１，１２２はくの字状に形成され、少なくとも一方の棒状部材１３１は回転軸Ｋの鉛直上方位置から偏移しているので、棒状部材１３１に止まった鳥類の重みにより、かろうじて保たれていた平衡状態が瞬時に崩れて回動するので、鳥類は棒状部材１３１上に止まることができずに、直ちに飛び立ち退散する。
【００３０】
次に、この実施の形態では、棒状部材１３１にテープ部材１５１，１５２・・・を設けたので、その棒状部材１３１，１３２の回転動作に伴い、テープ部材１５１，１５２・・・は翻るので、鳥類はより一層驚き退散する。なお、テープ部材１５１，１５２・・・に、たとえばアルミニウム箔等のように太陽光線等に反射して表面がきらめくような材料、あるいは光反射型の塗装が施された材料で形成して、より防鳥効果を高めることができる。
【００３１】
また、この実施の形態では、棒状部材１３１に設けた板部材１４１，１４２，・・・が風受け機能を果たして、棒状部材１３１，１３２を回転軸Ｋ回りに容易に回転あるいは回動させるので、上記テープ部材１５１，１５２，・・・の翻り作用も加わり、鳥類を寄せ付けず、より一層の防鳥効果が得られる。
【００３２】
また、棒状部材１３２は半径Ｌ２の長さで回動あるいは回転するので、広い空間領域に対し、防鳥効果を得ることができる。
【００３３】
いずれにしても、この実施の形態の鳥害防止装置は、棒状部材が両端部でアーム部材に支持されて、回動あるいは回転する構成を採用したので、機構的に堅固で、長寿命で高信頼性が確保されるとともに、針状部材を突設させたものではないので美観上も問題なく、映像表示装置等の防鳥に採用して優れた効果が得られる。
【００３４】
なお、上記説明の実施の形態において、棒状部材１３１，１３２の両端部は、アーム部材１２１，１２２に連結されている旨説明したが、その連結状態は固定でも、あるいは棒状部材１３１，１３２自体がその軸方向を中心に回転（自転）できるように各アーム部材１２１，１２２にゆるやかに嵌め込まれていても良い。
【００３５】
また、上記実施の形態では、アーム部材１２１，１２２に２本の棒状部材１３１，１３２を設けたが、少なくとも鳥類が止まるいずれか一方の棒状部材が回動あるいは回転すれば、防鳥作用が得られるので、棒状部材は一本でもあるいは３本以上あっても良い。また、棒状部材１３１，１３２は断面形状が円形に限らず多角形状でも良くまた、その太さも適宜選択することができ、例えば細い針金状のものでも良い。
【００３６】
また、上記実施の形態では、アーム部材１２１，１２２が回転支軸を有する支持部材１１１，１１２の回転支軸回りに回動あるいは回転するように構成したが、反対に、支持部材１１１，１１２には回転軸受けを設け、アーム部材１２１，１２２がその回転軸受けに支持されて回動あるいは回転するように構成することができる。
【００３７】
また、上記実施の形態では、支持部材１１１，１１２の一方の側にのみカラー１１Ａｄを取り付けたが、カラー１１Ａｄを例えば支持部材１１１の反対側の六角ボルト１１Ａａに通すように取り付けることによって、鳥害防止機構が軸方向に長く連結させることもできる。
【００３８】
もっとも、回転機構により防鳥効果を得るという考えから、上記実施の形態において、一対の支持部材の外側、すなわち六角ボルト１１Ａａの頭部側に、片持ち状態の回転羽根機構を取り付けることによって、飛来した鳥類が軸受け機構そのものに止まってしまうことを防ぐこともできる。
【００３９】
【発明の効果】
上記説明のように、本発明による鳥害防止装置は、回転する棒状部材を備えたので、簡単な構成により、的確な防鳥効果が得られるものであり、しかも構築物に対する美観を損なう恐れも無いので、ＬＥＤ表示装置等の映像表示装置に採用して実用上得られる効果大である。
【図面の簡単な説明】
【図１】本発明による鳥害防止装置の一実施の形態を採用した映像表示装置の外観図である。
【図２】図１に示した鳥害防止装置の拡大分解斜視図である。
【図３】図３（ａ）は、図２に示した鳥害防止装置の正面図、図３（ｂ）は図３（ａ）のＡ−Ａ線から矢印方向を見た側面図である。
【符号の説明】
１　鳥害防止装置
１１１，１１２　支持部材
１１Ａ　軸受け部
１２１，１２２　アーム部材
１３１，１３２　棒状部材
１４１，１４２，・・・　板部材
１５１，１５２，・・・　テープ部材
２　映像表示装置
２１　天板
２２　表示面
Ｋ　回転軸
【図１】
2004057075.tif 000003
【図２】
2004057075.tif 000004
【図３】
2004057075.tif 000005